(57)【要約】【課題】ユーザーの利便性を損なわずに省電力化する。【解決手段】ＣＰＵ１は、ユーザーが操作部３を操作して選択又は入力した機能制限内容をメモリ６に記憶させる。ＣＰＵ１は、水分検知センサー１５が携帯電話機の水濡れ状態を検知したときに、省電力モードに移行し、メモリ６に記憶された機能制限内容に従って機能の実行を制限する。【選択図】  図１
2011171894.tif 000002
【特許請求の範囲】
【請求項１】
複数の機能を実行する手段と、
ユーザーが操作する操作手段と、
前記複数の機能のうち少なくとも一部の機能の実行を制限する省電力モード時の機能制限内容を予め記憶する記憶手段と、
ユーザーが前記操作手段を操作して選択又は入力した前記機能制限内容を前記記憶手段に記憶させる機能制限内容設定手段と、
携帯端末装置の状態を検知するセンサーと、
このセンサーが携帯端末装置の所定の状態を検知したときに、前記省電力モードに移行し、前記記憶手段に記憶された機能制限内容に従って機能の実行を制限する制御手段とを備えることを特徴とする携帯端末装置。
【請求項２】
複数の機能を実行する手段と、
ユーザーが操作する操作手段と、
前記複数の機能のうち少なくとも一部の機能の実行を制限する省電力モードに移行したときから通常モードに復帰するまでの切替時間を予め記憶する記憶手段と、
ユーザーが前記操作手段を操作して選択又は入力した前記切替時間を前記記憶手段に記憶させる切替時間設定手段と、
時間を計測する計測手段と、
携帯端末装置の状態を検知するセンサーと、
このセンサーが携帯端末装置の所定の状態を検知したときに、前記省電力モードに移行し、前記計測手段によって計測される経過時間が前記切替時間を超える度に検知判定を行って、前記所定の状態を検知しないときに通常モードに復帰する制御手段とを備えることを特徴とする携帯端末装置。
【請求項３】
請求項１または２記載の携帯端末装置において、
前記複数の機能を実行する手段は、電話通信機能を実行する手段を含み、
前記制御手段は、前記省電力モードに移行したときに、留守番電話サービスを設定することを特徴とする携帯端末装置。
【請求項４】
請求項１乃至３のいずれか１項に記載の携帯端末装置において、
前記センサーは、筐体の水濡れ状態を検知する水分検知センサーであり、
前記制御手段は、前記水分検知センサーが水濡れ状態を検知したときに、前記省電力モードに移行することを特徴とする携帯端末装置。
【請求項５】
請求項１乃至３のいずれか１項に記載の携帯端末装置において、
前記センサーは、携帯端末装置の状態を検知する複数のセンサーからなり、
前記制御手段は、前記複数のセンサーの出力に基づいて携帯端末装置の状態を判定し、前記省電力モードに移行することを特徴とする携帯端末装置。
【請求項６】
複数の機能のうち少なくとも一部の機能の実行を制限する省電力モードを有する携帯端末装置の省電力制御方法において、
ユーザーが携帯端末装置の操作手段を操作して選択又は入力した機能制限内容を記憶手段に記憶させる機能制限内容設定ステップと、
携帯端末装置の状態を検知するセンサーが所定の状態を検知したときに、前記省電力モードに移行し、前記記憶手段に記憶された機能制限内容に従って機能の実行を制限する省電力制御ステップとを備えることを特徴とする省電力制御方法。
【請求項７】
複数の機能のうち少なくとも一部の機能の実行を制限する省電力モードを有する携帯端末装置の省電力制御方法において、
ユーザーが携帯端末装置の操作手段を操作して選択又は入力した切替時間を記憶手段に記憶させる切替時間設定ステップと、
携帯端末装置の状態を検知するセンサーが所定の状態を検知したときに、前記省電力モードに移行し、計測した経過時間が前記切替時間を超える度に検知判定を行って、前記所定の状態を検知しないときに通常モードに復帰する省電力制御ステップとを備えることを特徴とする省電力制御方法。
【請求項８】
請求項６または７記載の省電力制御方法において、
さらに、前記省電力モードに移行したときに、留守番電話サービスを設定する留守番電話設定ステップを備えることを特徴とする省電力制御方法。
【請求項９】
請求項６乃至８のいずれか１項に記載の省電力制御方法において、
前記センサーは、筐体の水濡れ状態を検知する水分検知センサーであり、
前記省電力制御ステップは、前記水分検知センサーが水濡れ状態を検知したときに、前記省電力モードに移行することを特徴とする省電力制御方法。
【請求項１０】
請求項６乃至８のいずれか１項に記載の省電力制御方法において、
前記センサーは、携帯端末装置の状態を検知する複数のセンサーからなり、
前記省電力制御ステップは、前記複数のセンサーの出力に基づいて携帯端末装置の状態を判定し、前記省電力モードに移行することを特徴とする省電力制御方法。
【発明の詳細な説明】
【技術分野】
【０００１】
本発明は、省電力機能を有する携帯電話機などの携帯端末装置、および省電力モード時の携帯端末装置の動作を制御する省電力制御方法に関するものである。
【背景技術】
【０００２】
近年、携帯電話機に代表される携帯端末装置の機能は多様化し、また機能の多様化に伴って消費電流、消費電力は増大の一途である。その対策として、待ち受け状態で一定時間無操作状態が継続した場合には液晶等のディスプレイの表示を停止したり、バックライトの輝度を調整したり消灯したりすることなどで省電力化を行っている。近年、増加してきている防水端末では水中での使用に関しては、カメラ撮影等に限定されており音声通話など無線通信が必要な機能は制限されているが、従来の防水機能付き携帯電話機においては携帯電話機の状態に関係なく待ち受け状態において基地局との通信を行っているため、水中などで無線通信を行う必要がない状態でも無線部や制御部に対する電源供給を常に行い電池の消耗を招いてしまうという問題があった。
【０００３】
一方、特許文献１に開示された携帯端末装置では、水が浸入したときに水没状態を検出し、水没状態を検出すると、携帯端末装置の各部へと供給されている電源を遮断するようにしている。
【先行技術文献】
【特許文献】
【０００４】
【特許文献１】特開２００５−３１１６３７号公報
【発明の概要】
【発明が解決しようとする課題】
【０００５】
特許文献１に開示された携帯端末装置の電源の遮断はハードウェアの故障を減らしてデータの消失を防ぐことを目的とするものであるが、この携帯端末装置によれば、携帯端末装置が水中にある場合や携帯端末装置に水分が多く付着していて音声通話ができない状態であるときに消費電流を低減することができる。
【０００６】
しかしながら、特許文献１に開示された携帯端末装置では、携帯端末装置が水分を検知して省電力モードに移行したときの機能制限をユーザーが設定することができないという問題点があった。
また、特許文献１に開示された携帯端末装置では、携帯端末装置が水分を検知して省電力モードに移行したときから通常モードに復帰するまでの切替時間をユーザーが設定することができないという問題点があった。
【０００７】
本発明は、上記課題を解決するためになされたもので、携帯端末装置が省電力モードに移行したときの機能制限をユーザーが設定できるようにすることで、ユーザーの利便性を損なわずに省電力化できる携帯端末装置および省電力制御方法を提供することを目的とする。
また、本発明は、携帯端末装置が省電力モードに移行したときから通常モードに復帰するまでの切替時間をユーザーが設定できるようにすることで、ユーザーの利便性を損なわずに省電力化できる携帯端末装置および省電力制御方法を提供することを目的とする。
【課題を解決するための手段】
【０００８】
本発明の携帯端末装置は、複数の機能を実行する手段と、ユーザーが操作する操作手段と、前記複数の機能のうち少なくとも一部の機能の実行を制限する省電力モード時の機能制限内容を予め記憶する記憶手段と、ユーザーが前記操作手段を操作して選択又は入力した前記機能制限内容を前記記憶手段に記憶させる機能制限内容設定手段と、携帯端末装置の状態を検知するセンサーと、このセンサーが携帯端末装置の所定の状態を検知したときに、前記省電力モードに移行し、前記記憶手段に記憶された機能制限内容に従って機能の実行を制限する制御手段とを備えることを特徴とするものである。
また、本発明の携帯端末装置は、複数の機能を実行する手段と、ユーザーが操作する操作手段と、前記複数の機能のうち少なくとも一部の機能の実行を制限する省電力モードに移行したときから通常モードに復帰するまでの切替時間を予め記憶する記憶手段と、ユーザーが前記操作手段を操作して選択又は入力した前記切替時間を前記記憶手段に記憶させる切替時間設定手段と、時間を計測する計測手段と、携帯端末装置の状態を検知するセンサーと、このセンサーが携帯端末装置の所定の状態を検知したときに、前記省電力モードに移行し、前記計測手段によって計測される経過時間が前記切替時間を超える度に検知判定を行って、前記所定の状態を検知しないときに通常モードに復帰する制御手段とを備えることを特徴とするものである。
【０００９】
また、本発明は、複数の機能のうち少なくとも一部の機能の実行を制限する省電力モードを有する携帯端末装置の省電力制御方法において、ユーザーが携帯端末装置の操作手段を操作して選択又は入力した機能制限内容を記憶手段に記憶させる機能制限内容設定ステップと、携帯端末装置の状態を検知するセンサーが所定の状態を検知したときに、前記省電力モードに移行し、前記記憶手段に記憶された機能制限内容に従って機能の実行を制限する省電力制御ステップとを備えることを特徴とするものである。
また、本発明の省電力制御方法は、ユーザーが携帯端末装置の操作手段を操作して選択又は入力した切替時間を記憶手段に記憶させる切替時間設定ステップと、携帯端末装置の状態を検知するセンサーが所定の状態を検知したときに、前記省電力モードに移行し、計測した経過時間が前記切替時間を超える度に検知判定を行って、前記所定の状態を検知しないときに通常モードに復帰する省電力制御ステップとを備えることを特徴とするものである。
【発明の効果】
【００１０】
本発明によれば、センサーが携帯端末装置の所定の状態を検知したときに省電力モードに移行することで携帯端末装置の消費電力を大幅に低減することができる。そして、本発明では、省電力モード時の機能制限内容をユーザーが選択又は入力できるようにすることにより、ユーザーの利便性を損なうことなく省電力化することができる。
【００１１】
また、本発明では、省電力モードに移行したときから通常モードに復帰するまでの切替時間をユーザーが選択又は入力できるようにすることにより、ユーザーの利便性を損なうことなく省電力化することができる。
【図面の簡単な説明】
【００１２】
【図１】本発明の第１の実施の形態に係る携帯端末装置の１例である防水機能付き携帯電話機の構成を示すブロック図である。
【図２】本発明の第１の実施の形態に係る携帯電話機において省電力モードの設定をユーザーが行う場合の動作を示すフローチャートである。
【図３】本発明の第１の実施の形態に係る携帯電話機における省電力モードの機能制限の例を示す図である。
【図４】本発明の第１の実施の形態に係る携帯電話機の省電力モード時の動作を示すフローチャートである。
【図５】本発明の第２の実施の形態に係る携帯電話機の省電力モード時の動作を示すフローチャートである。
【発明を実施するための形態】
【００１３】
［第１の実施の形態］
以下、本発明の実施の形態について図面を参照して説明する。図１は本発明の第１の実施の形態に係る携帯端末装置の１例である防水機能付き携帯電話機の構成を示すブロック図である。図１において、携帯電話機は、携帯電話機全体を制御すると共に通話に関係する種々の演算処理及び省電力モード制御に関係する処理を行うＣＰＵ（制御手段）１と、図示省略した基地局との通信を行うための無線部２と、ＣＰＵ１に接続され、キーボード等からなる操作部３と、ＣＰＵ１に接続され、ＬＣＤ等からなり各種の情報を表示するための表示部４と、ＣＰＵ１及び無線部２に接続され、受信信号の周波数特性処理、基地局等との無線回線接続処理、通話チャネルの切替処理、無線部２とレシーバ１１及びマイクロホン９との間の音声信号処理などを行うＤＳＰ（デジタル信号処理部）５と、ＣＰＵ１及びＤＳＰ５に接続され、ＣＰＵ１での演算結果等のデータを格納するメモリ（記憶手段）６と、ＤＳＰ５からの音声データ及び着信音のメロディ−等のパターンをアナログ信号に変換して後述するレシーバアンプ１０及びスピーカアンプ１２に出力すると共に、後述するマイクアンプ８からの音声信号をデジタル信号に変換してＤＳＰ５に出力するＡ／Ｄ・Ｄ／Ａコンバータ７と、マイクロホン９からの音声信号を増幅してＡ／Ｄ・Ｄ／Ａコンバータ７に出力するマイクアンプ８と、Ａ／Ｄ・Ｄ／Ａコンバータ７によってアナログ変換された音声信号を増幅してレシーバ１１に出力するレシーバアンプ１０と、Ａ／Ｄ・Ｄ／Ａコンバータ７によってアナログ変換された音声信号を増幅してスピーカ１３に出力するスピーカアンプ１２と、後述する水分検知センサー１５の制御を行うセンサー回路１４と、携帯電話機の筐体表面に配置され、携帯電話機が水中にあることや筐体に水分が付着していることを検知するための水分検知センサー１５と、ＣＰＵ１の命令により時間を計測するためのタイマー（計測手段）１６と、Ｃ−ＭＯＳセンサーやＣＣＤセンサーからなるカメラ１７と、基地局との通信を行うためのアンテナ２０とを備えている。
【００１４】
ＣＰＵ１は、ユーザーが選択又は入力した機能制限内容をメモリ６に記憶させる機能制限内容設定手段、およびユーザーが選択又は入力した切替時間をメモリ６に記憶させる切替時間設定手段を構成している。また、ＣＰＵ１とその他の機能ブロックとは、携帯端末装置の複数の機能を実行する手段を構成している。ＣＰＵ１は、メモリ６に格納されているプログラムに従って、以下で説明するような処理を実行する。
【００１５】
本実施の形態で用いる水分検知センサー１５としては、２種の異なる金属または半導体の両端を結合し、両接点間の起電力を計測する電気式湿度センサーを用いることができる。この電気式湿度センサーには、湿度の変化がもたらす抵抗変化を検出する抵抗変化型湿度センサー、湿度の変化がもたらす容量変化を検出する静電容量型湿度センサーがあるが、抵抗変化型湿度センサー、静電容量型湿度センサーのどちらも使用することが可能である。
【００１６】
次に、本実施の形態について、図２、図３、図４を参照して説明する。図２は、本実施の形態の防水機能付き携帯電話機が水中にある場合や筐体に多くの水分が付着している場合に移行する省電力モードの設定をユーザーが行う場合の動作を示すフローチャートである。
【００１７】
ＣＰＵ１は、携帯電話機の待ち受け状態において（ステップＳ１１）、ユーザーが操作部３上の特定キーを押下して、省電力モードの設定を行う動作に移行するためのコマンドを入力したかどうかを判定する（ステップＳ１２）。ここで、コマンドの入力がない場合は、既に決定されている省電力モードの設定内容か、あるいはデフォルトで決められている設定内容をメモリ６で保持する（ステップＳ１６）。
【００１８】
一方、ＣＰＵ１は、省電力モードの設定を行う動作に移行するためのコマンド入力があった場合、省電力モードの設定を行う処理に移行し、省電力モードの設定画面を表示部４に表示させる（ステップＳ１３）。
ユーザーは、省電力モードの設定画面を見ながら操作部３を操作して、図３に示すような機能制限内容を選択する（ステップＳ１４）。本実施の形態では、携帯電話機が省電力モードに移行したときの機能制限内容の選択肢が予めメモリ６に登録されている。ユーザーは、設定画面に表示された選択肢の中から所望の機能制限内容を選択すればよい。
【００１９】
例えば図３に示した省電力モード「１」は、省電力モードに移行したときに、無線通信（データ通信）と音声通話とメール受信とが不可能となり、カメラ撮影（静止画撮影）と動画撮影と音楽再生とは可能で、かつ後述する実施の形態のように留守番電話サービスが自動的に設定されることを示している。
【００２０】
また、メモリ６には、省電力モードへの移行時から通常モードに復帰するまでの切替時間の選択肢が予め登録されている。ユーザーは、省電力モードの設定画面を見ながら操作部３を操作して、切替時間を選択する（ステップＳ１５）。そして、ＣＰＵ１は、ユーザーが選択した機能制限内容と切替時間とをメモリ６に記憶させる（ステップＳ１６）。以上で、省電力モードの設定を行う処理が終了する。
【００２１】
図４は、本実施の形態の携帯電話機の省電力モード時の動作を示すフローチャートである。図２、図３で説明したように省電力モードの設定がなされた携帯電話機の待ち受け状態中に（ステップＳ２１）、センサー回路１４は、数分間の間隔で動作状態となり、水分検知センサー１５を制御し、水分検知センサー１５の出力をＣＰＵ１に送信する（ステップＳ２２）。ＣＰＵ１は、水分検知センサー１５の出力値に基づいて携帯電話機が水濡れ状態にあるかどうかを判定する（ステップＳ２３）。ＣＰＵ１は、例えば水分検知センサー１５の出力値が所定の閾値以上である場合、携帯電話機が水濡れ状態であると判定する。
【００２２】
ＣＰＵ１は、携帯電話機が水濡れ状態であると判定した場合、省電力モードへの移行時からの経過時間の計測をタイマー１６に開始させ（ステップＳ２４）、携帯電話機を省電力モードに移行させる（ステップＳ２５）。ＣＰＵ１は、メモリ６に保持されている省電力モード時の設定内容を読み出し、図２のステップＳ１４において設定された機能制限内容で動作が「不可」となっている機能ブロックの制御及びこの機能ブロックへの電源供給を止めることで、不要な電力消費を抑える。
【００２３】
例えば図３に示した省電力モード「１」をユーザーが選択した場合、カメラ撮影や動画撮影、音楽再生は可能であるが、無線通信と音声通話とメール受信は不可能となる。つまり、無線部２やレシーバアンプ１０、スピーカアンプ１２などへの電源供給が停止され、これらの機能ブロックの機能が停止するので、携帯電話機の電流消費量が大幅に低減することになる。
【００２４】
続いて、省電力モード中において、ＣＰＵ１は、タイマー１６が計測している経過時間が図２のステップＳ１５で設定された切替時間を超えたかどうかを判定する（ステップＳ２６）。ＣＰＵ１は、省電力モードの経過時間が切替時間以下の場合はステップＳ２５に戻って省電力モードを継続する。
【００２５】
また、ＣＰＵ１は、省電力モードの経過時間が切替時間を超えた場合は、ステップＳ２２に戻って、水分検知センサー１５の出力値に基づく水濡れ検知判定（ステップＳ２３）を行う。ＣＰＵ１は、ステップＳ２３の水濡れ検知判定において、例えば水分検知センサー１５の出力値が所定の閾値より低い場合、携帯電話機が水濡れ状態でないと判定する。ＣＰＵ１は、携帯電話機が水濡れ状態でないと判定した場合、携帯電話機の省電力モードを終了させ（ステップＳ２７）、各機能ブロックが通常どおり動作する通常モードに復帰させる（ステップＳ２８）。
【００２６】
以上のように、本実施の形態では、携帯電話機が水濡れ状態のときに省電力モードに移行することで携帯電話機の消費電力を大幅に低減することができる。そして、本実施の形態では、省電力モード時の機能制限内容や、省電力モードに移行したときから通常モードに復帰するまでの切替時間をユーザーが選択できるようにすることにより、ユーザーの利便性を損なうことなく省電力化することができる。
【００２７】
なお、本実施の形態では、図３に示した省電力モード「１」をユーザーが選択した場合について説明しているが、ユーザーが省電力モード「２」を選択した場合、無線通信、メール受信、カメラ撮影、動画撮影、音楽再生は可能であるが、音声通話は不可能となる。つまり、ユーザーが省電力モード「２」を選択した場合、無線部２やレシーバアンプ１０、Ａ／Ｄ・Ｄ／Ａコンバータ７などへの電源供給が停止され、これらの機能ブロックの機能が停止するので、省電力化することができる。ユーザーが省電力モード「３」を選択した場合も同様である。
【００２８】
［第２の実施の形態］
次に、本発明の第２の実施の形態について説明する。本実施の形態は、省電力モードの状態に移行する際に留守番電話サービスを自動で設定することで省電力モード中の着信内容を確認することができるようにするものである。本実施の形態においても、携帯電話機の構成は第１の実施の形態と同様なので、図１の符号を用いて説明する。図５は、本実施の形態の携帯電話機の省電力モード時の動作を示すフローチャートであり、図４と同一の処理には同一の符号を付してある。
【００２９】
本実施の形態と第１の実施の形態との違いは、省電力モードに移行した際にＣＰＵ１が留守番電話サービスを自動で設定することである（ステップＳ２９）。これにより、本実施の形態では、省電力モード時の着信の内容をユーザーが確認することができるので、ユーザーの利便性を向上させることができる。
【００３０】
［第３の実施の形態］
第１の実施の形態では、省電力モード時の機能制限内容や、省電力モードに移行したときから通常モードに復帰するまでの切替時間を、予め登録された選択肢の中からユーザーが選択するようにしているが、機能制限内容や切替時間をユーザーの好みで任意に設定できるようにしてもよい。
【００３１】
［第４の実施の形態］
第１〜第３の実施の形態では、水分検知センサー１５を用いているが、水分検知センサー１５の代わりに例えば照度センサーなどのセンサーを使用して携帯電話機の状態を判定するようにしてもよい。例えば照度センサーを用いる場合は、照度センサーで検知した周囲の明るさに応じて省電力モードに移行するかどうかを判定する。検知した照度が所定の閾値以上で、十分に明るい場合には、省電力モードに移行し、例えば表示部４の輝度を落とす省電力制御を行う。このとき、省電力モード時の機能制限内容として、省電力モード時の表示部４の輝度をユーザーが選択又は設定したり、省電力モードに移行したときから通常モードに復帰するまでの切替時間をユーザーが選択又は設定したりすることができる。このように、水濡れ以外の状態においても機能制限内容や切替時間をあらかじめユーザーが設定することで、様々な省電力モードの制御を行うことが可能となる。
【００３２】
［第５の実施の形態］
第１〜第４の実施の形態では、１個のセンサーを用いる場合について説明しているが、上述の水分検知センサー１５や照度センサー、あるいはその他のセンサーを複数組み合わせることにより、携帯電話機のより細かな状態を判定することができ、より細かな省電力モードの制御を行うことが可能となる。
【００３３】
［第６の実施の形態］
第１〜第５の実施の形態では、携帯端末装置の例として携帯電話機を例に挙げて説明しているが、これに限るものではない。本発明は、防水機能を有するＰＨＳ、デジタルカメラ、ビデオカメラ、音楽再生プレイヤーなどの機器であれば、携帯電話機と同様に適用することが可能である。
【産業上の利用可能性】
【００３４】
本発明は、省電力機能を有する携帯電話機などの携帯端末装置に適用することができる。
【符号の説明】
【００３５】
１…ＣＰＵ、２…無線部、３…操作部、４…表示部、５…ＤＳＰ、６…メモリ、７…Ａ／Ｄ・Ｄ／Ａコンバータ、８…マイクアンプ、９…マイクロホン、１０…レシーバアンプ、１１…レシーバ、１２…スピーカアンプ、１３…スピーカ、１４…センサー回路、１５…水分検知センサー、１６…タイマー、１７…カメラ、２０…アンテナ。
【図１】
2011171894.tif 000003
【図２】
2011171894.tif 000004
【図３】
2011171894.tif 000005
【図４】
2011171894.tif 000006
【図５】
2011171894.tif 000007